(57)【要約】【課題】  本発明は、記録再生装置への電源投入時の起動時間の短縮を図ることができる記録再生装置を提供することを目的とする。【解決手段】  本発明の記録再生装置は、設定された機能を、記録再生装置への電源投入時に起動させるように制御することを特徴とする。【選択図】  図２
2006236465.tif 000002
【特許請求の範囲】
【請求項１】
映像信号を記録，再生する機能を複数備えるとともに、前記機能に対して、独立に起動，停止を制御する制御手段を備えた記録再生装置であって、
複数の前記機能のうち、前記記録再生装置への電源投入時に起動させる機能をユーザに設定させる設定手段
を備え、
前記制御部は、前記設定手段により設定された前記機能を、前記記録再生装置への電源投入時に起動させるように制御することを特徴とする記録再生装置。
【請求項２】
前記設定手段として、一定時間使用されない場合に動作を停止させる機能をユーザに設定させることを特徴とする請求項１記載の記録再生装置。
【請求項３】
前記一定時間使用されない場合に動作を停止させる機能に設定された機能の使用を中止したことをユーザに通知する通知手段を備えたことを特徴とする請求項２記載の記録再生装置。
【請求項４】
前記設定手段として、前記記録再生装置の電源投入後、所定時間後自動的に起動する機能をユーザに設定させることを特徴とする請求項１記載の記録再生装置。
【発明の詳細な説明】
【技術分野】
【０００１】
本発明は、映像信号を記録，再生可能な記録再生装置に関する。
【背景技術】
【０００２】
複合電子機器(TV，VCR，DVD，HDD等の電子機器を複合一体化した機器)において、使用されない機能ブロックに対応するレベルの電圧を供給する電圧変換回路をオフする制御により、消費電力を低減することが知られている。
【特許文献１】特開2004-282876号公報
【発明の開示】
【発明が解決しようとする課題】
【０００３】
しかしながら、従来の装置は、複合電子機器への電源投入で装置内の全機能ブロックを一度立ち上げ、その後選択されていない機能ブロックを判定し、選択されていない機能ブロックの電源を遮断するものである。このため、所望の機能(HDDドライブ)はイニシャライズ動作(例えば、HDDの最終記録位置等のメモリへの取り込み)させ映像信号の記録，再生のスタンバイ状態となったとしても、他の機能(例えば、DVDドライブ)のイニシャライズ動作(例えば、ディスクの有無チェック，挿入されているディスクからの管理情報のメモリへの取り込み)に時間がかかり、結果として、記録再生装置全体がスタンバイ状態になるのに多くの時間がかかってしまうという問題点がある。さらに、DVDドライブが動作させない機能として設定されていた場合は、該動作が停止したことを確認して初めて記録再生装置全体がスタンバイ状態となり、その後HDDドライブの動作(例えば、映像信号の録画)の開始となることから、前記同様、装置全体の機能の起動までに多くの時間がかかってしまうという問題があった。
【０００４】
本発明は、記録再生装置への電源投入時の起動時間の短縮を図ることができる記録再生装置を提供することを目的とする。
【課題を解決するための手段】
【０００５】
上記目的を達成するために、本発明の記録再生装置は、映像信号を記録，再生する機能を複数備えるとともに、前記機能に対して、独立に起動，停止を制御する制御手段を備えた記録再生装置であって、
複数の前記機能のうち、前記記録再生装置への電源投入時に起動させる機能をユーザに設定させる設定手段
を備え、
前記制御部は、前記設定手段により設定された前記機能を、前記記録再生装置への電源投入時に起動させるように制御することを特徴とする。
【０００６】
そして、記録再生装置の電源投入時に必要な機能のみを起動させることにより、記録再生装置全体の起動時間を短縮することができる。
【０００７】
また、前記設定手段として、一定時間使用されない場合に動作を停止させる機能をユーザに設定させることを特徴とする
そして、使用していない機能を停止させることにより、消費電力を抑えることができる。
【０００８】
また、前記一定時間使用されない場合に動作を停止させる機能に設定された機能の使用を中止したことをユーザに通知する通知手段を備えたことを特徴とする。
【０００９】
そして、ユーザが記録再生装置の状態を把握することができる。
【００１０】
また、前記設定手段として、前記記録再生装置の電源投入後、所定時間後自動的に起動する機能をユーザに設定させることを特徴とする。
【００１１】
そして、記録再生装置全体の起動時間を短縮することができるとともに、各機能の使用時には起動しているので、ユーザが使用したい機能をすぐに使用することができる。
【発明の効果】
【００１２】
本発明によれば、記録再生装置への電源投入時に使用しない機能のイニシャライズ動作を行わないことにより、記録再生装置全体の起動時間の短縮を図ることができる。
【発明を実施するための最良の形態】
【００１３】
以下、図面を参照して本発明の実施の形態を説明する。
【００１４】
図１は、本発明に係る実施形態を備えた記録再生装置100の概略ブロック図である。図１に示す記録再生装置は、DVDなどの光ディスクまたはハードディスクまたはビデオテープに記録された映像信号の再生，記録をすることができる。
【００１５】
図１に示すように、記録再生装置100は、CPU1、メモリ3、チューナA11及び光ディスクドライブ13、ハードディスクドライブ14、ビデオカセットレコーダ15の複数の機能ブロック12を内蔵している。また、記録再生装置100には、衛星放送等を受信可能なチューナB21，記録した映像信号を表示する表示装置として、使用機能操作設定表示部4が接続されている。なお、使用機能操作設定表示部4は、TV等と兼用し、記録再生装置100の外部に設けた例を示しているが、FL菅等を用いて記録再生装置100に設けてもよい。
【００１６】
チューナA11及び/若しくはチューナB21で受信された映像信号は、機能ブロック12の光ディスクドライブ13、ハードディスクドライブ14、ビデオカセットレコーダ15のいずれかに記録される。
【００１７】
CPU1は、使用機能操作設定表示部4からユーザにより任意に操作され、機能ブロック12内のいずれの機器を電源投入時に起動させるかを設定する設定情報が格納されたメモリ3と、ユーザが使用するように設定した機能ブロック12内の機能に対して、機能別起動制御部2を介して制御し、記録再生装置100の電源投入時に設定されている機能のみを起動させる。
【００１８】
また、CPU1は、機能ブロック12の使用状況を監視しており、特定の機能が一定時間使用されない場合に、該当機能への動作を停止するよう機能別起動制御部2を制御し、使用機能設定表示部4を通じて動作を停止し使用を中止したことをユーザに通知することができる。なお、自動的に使用を中止するまでの時間や、使用を中止したことの通知をするかどうかはユーザが設定することができる。
【００１９】
さらに、CPU1は、部分機能動作時に使用されていない機能の動作をユーザが要求した場合、該当機能の起動をオンにするように機能別起動制御部2を制御して該当機能を新たに起動させる。該当機能の起動開始のタイミングは、ユーザの要求の直後または録画再生装置が再起動されたときになる。なお、ユーザが該当機能の使用を禁止するよう設定した場合は電源供給はされず、起動もしないように設定することもできる。
【００２０】
図１において、起動時に起動させる機能として、機能ブロック12の光ディスクドライブ13，ハードディスクドライブ14，ビデオカセットレコーダ15から選択するようにしたが、チューナA11，チューナB21も起動時に起動させるか否かの選択対象とすることもできる。これにより、衛星放送しか視聴しないユーザにとって、チューナA11(地上波用)は起動させず、チューナB21のみを起動させることにより、省電力とできる。
【００２１】
図２に使用機能設定画面50の一例を示す。
【００２２】
51は部分機能動作の設定を行う機能名を表している。図２では、「DVDドライブ」，「ハードディスク」，「ビデオカセットレコーダ」を内蔵する記録再生装置100に関する設定画面になっている。なお、同一の種類のドライブを複数備えている記録再生装置の場合は、「DVDドライブ」，「HD DVDドライブ」，「ハードディスク1」，「ハードディスク2」などといった組み合わせで表示させることもできる。
【００２３】
52は、機能名51に表示されている機能の使用状況を示している。「使用する」と「使用しない」が同時に選択されることはなく、選択されている方の文字やフィールドの色が反転するなどして、どちらが選択されているか分かるようになっている。使用機能設定画面50を表示した時点で該当機能が起動されており、使用中もしくは使用可能である場合は「使用する」が選択されている。該当機能の使用を中止するか、記録再生装置100の次回起動シーケンスから該当機能を省く場合は「使用しない」を選択する。逆に、設定画面を表示した時点で起動されていない場合は「使用しない」が選択されているので、記録再生装置100の部分機能動作に該当機能を追加したい場合は「使用する」を選択する。「使用する」「使用しない」の選択は、ユーザが手動で行うか、起動制御設定53の第1設定53a及び第2設定53bの設定に従い自動的に選択される。
【００２４】
53aは使用状況52で「使用する」が選択されている場合の起動制御設定と時間設定を示している。時間設定部分に数値(例えば、60分間)を入力または選択することにより、起動したものの60分間使用されない場合は、電源供給が自動的に遮断される。また、経過時間に関わらず該当機能を「使用する」にしたまま固定しておきたいときは「使用し続ける」を選択する。
【００２５】
53bは使用状況52で「使用しない」が選択されている場合の起動制御設定を示している。起動されていない機能を動作させるような操作をユーザが行った直後に、使用状況52を「使用する」に変更し、該当機能への電源供給を再開してすぐに起動させる場合は「使用時に自動的に起動」を選択する。なお、図２では、使用機能設定画面50において、記録再生装置100の起動が完了された後に、記録再生装置100を再起動(電源の再投入)させなくてもユーザが要求すれば起動されていない機能を追加的に起動させることが可能であるという前提であったが、不可能である場合(例えば、映像信号の記録中等)には、「使用時に自動的に起動」の代わりに「再起動時に起動」あるいは「起動が可能になり次第起動する」などと表示させ、記録再生装置100を次回起動させたときの部分機能動作に該当機能を追加することになる。
【００２６】
図３に、CPU1の動作フローチャートを示す。使用機能設定画面50の各機能ごとの使用状況52の設定をメモリ3に読み込む(ステップ101)。使用状況52にて「使用する」となっている機能ブロックのみに起動するように機能別起動制御部2を制御し、該当機能ブロックを起動させて使用可能状態にする(ステップ102)。使用状況52の設定が「使用する」から「使用しない」または「使用しない」から「使用する」へ変更された場合、ステップ101に戻る(ステップ103)。
【００２７】
図４は、記録再生装置100の詳細な動作フローチャートである。なお、制御は記録再生装置100のCPU1が行う。
【００２８】
まず、記録再生装置100は電源がONされたか否かをチェックし(ステップS1)、電源がONされたことを検知すると、各機能の図示しないタイマを0にセットする(t，t1，t2，t3=0)(ステップS2)。なお、ここでは、tは記録再生装置100の電源がONされてからの時間をカウントするタイマ，t1は光ディスクドライブ(DVDドライブ)13に電源が供給されてからの時間をカウントするタイマ，t2はハードディスクドライブ14に電源が供給されてからの時間をカウントするタイマ，t3はビデオカセットレコーダ15に電源が供給されてからの時間をカウントするタイマである。また、各機能の設定時間をカウントするタイマを0にセットする(ts，ts1，ts2，ts3=0)(ステップS3)。なお、ここでは、ステップS2と同様に、tsは記録再生装置100の設定時間，ts1は光ディスクドライブ(DVDドライブ)13用，ts2はハードディスクドライブ14用，ts3はビデオカセットレコーダ15用であり、図２の例で言えば、ts1には「60分間」がセットさせている。なお、この設定は分に限らず秒，時などの時間を示す単位のいずれで設定してもよい。ユーザ設定チェック(ステップS4)では、図２にあるように、各機能の使用状況52，起動制御設定53をチェックし、設定にしたがってts，ts1，ts2，ts3に値をロードする。これらの値はメモリ3に記憶されている。ステップS4の設定後、t，t1，t2，t3のカウントアップをスタートする(ステップS5)。その後ユーザ設定が変更されたか否かをチェックし(ステップS6)、設定に変更があれば該当する機能のtsを変更する。これは、例えば、図２において、DVDドライブが「使用する」から「使用しない」に変更された場合、ts1=0に変更することにより実現できる。ステップS7に続いて若しくはステップS6でNoとなった場合、各機能の使用状況をチェックする(ステップS8)。各機能の使用状況に変更がなければ、設定時間に達したか否かをチェックする(ステップS9)。これは、tとts，ts1，ts2，ts3とを比較し、光ディスクドライブ13であれば、t1とts1とを比較し、t1=ts1(ts1=60分に設定されている場合)となっており、光ディスクドライブ13が60分間使用されていないことが確認できれば、ステップS10で、自動的に電源を遮断する。ステップS9でNoの場合は、ステップS8に戻る。
【００２９】
図５は、他の実施形態における使用機能設定画面50の一例を示す。なお、図５は、図２と共通部分を有し、異なる部分について説明する。
【００３０】
図５では、全機能の「使用しない」に「所定時間後自動的に起動」を追加した点と、機能として、チューナA，チューナB(図１の11，21)を追加した点が図２と異なる。「所定時間後自動的に起動」を追加したことにより、例えばDVDドライブを使用していない状態で起動し、その後ユーザから使用指示があった場合に、ユーザ指示を受けてから起動するのに加えて、より早い起動が可能となる。また、記録再生装置100の電源投入時の起動時には、できるだけ「使用しない」，「所定時間後自動的に起動」に設定することにより、最小限の機能のみすばやく起動することができる。
【００３１】
この他、チューナA11，チューナB21についても起動制御設定することにより、ユーザの使用形態(チューナA11はほとんど使用しない等)に応じた起動制御を行うことができるとともに消費電力を抑えることができる。なお、図５を実現するための制御は、図４において制御するタイマ数を増やし、これを制御することにより可能である。
【００３２】
本発明によれば、記録再生装置の電源投入時に使用しない機能のイニシャライズ動作のために起動時間が長くなることを防ぐことができる。併せて使用しない機能への電源供給をカットすることによる消費電力の削減が可能となる。
【図面の簡単な説明】
【００３３】
【図１】本発明の一実施の形態による記録再生装置の概略構成図。
【図２】同実施の形態にかかわる使用機能設定画面例。
【図３】同実施の形態にかかわる記録再生装置のCPUの動作フローチャート。
【図４】同実施の形態にかかわる記録再生装置の各機能の起動制御を示したフローチャート。
【図５】同実施の別の形態にかかわる使用機能設定画面例。
【符号の説明】
【００３４】
1  CPU
2  機能別起動制御部
3  メモリ
4  使用機能操作設定表示部
11  チューナA
12  機能ブロック
13  光ディスクドライブ
14  ハードディスクドライブ
15  ビデオカセットレコーダ
21  チューナB
50  使用機能設定画面
51  機能名
52  使用状況
53  起動制御設定
53a  第1設定
53b  第2設定
100  記録再生装置
【図１】
2006236465.tif 000003
【図２】
2006236465.tif 000004
【図３】
2006236465.tif 000005
【図４】
2006236465.tif 000006
【図５】
2006236465.tif 000007